【手続補正書】
【提出日】平成18年8月10日(2006.8.10)
【手続補正１】
【補正対象書類名】明細書
【補正対象項目名】全文
【補正方法】変更
【補正の内容】
【書類名】      明細書
【発明の名称】  餌木収納具
【特許請求の範囲】
【請求項１】  開閉自在な餌木収納容器内に発泡体からなる餌木保持板が収納され、該餌木保持板の上部には、餌木の腹部上端に突出した重錘を収納する重錘収納部が複数個、一定間隔毎に形成されてなることを特徴とする餌木収納具。
【請求項２】  重錘収納部の下側部の夫々には、餌木の尻端部に突設した針を収納する針収納凹部が形成されていることを特徴とする請求項１に記載の餌木収納具。
【請求項３】  餌木の尻端部に突設した針を餌木保持板の下部に突き刺し可能に構成していることを特徴とする請求項１に記載の餌木収納具。
【請求項４】  餌木保持板の中央部には餌木の腹部を収納する腹部収納凹部が形成されていることを特徴とする請求項１乃至請求項３の何れか１項に記載の餌木収納具。
【請求項５】  重錘収納部はスリットから形成されており、該スリットの対向端面で餌木の腹部の重錘を弾性的に挟着するように構成していることを特徴とする請求項１に記載の餌木収納具。
【請求項６】  餌木収納容器は、前面が全面的に開口した偏平な収納容体と該収納容体の前面開口部を開閉自在に閉止する蓋体とからなり、収納容体の内底面上に餌木保持板を敷設している一方、上記蓋体はその下端縁を上記収納容体の前端開口下端縁に連設させてこの連設部を支点として上下方向に起伏自在とされており、上記蓋体と上記収納容体との間における対向下端両側部間には、上記蓋体の傾倒状態を維持する傾倒維持部材が配設されていることを特徴とする請求項１に記載の餌木収納具。
【発明の詳細な説明】
【０００１】
【発明の属する技術分野】
本発明は、餌木を安定した状態に収納することができる餌木収納具に関する。
【０００２】
【従来の技術】
従来からイカを釣るのに餌木が用いられている。そして、餌木は釣り場の状況に応じて種々交換して用いられるので、釣り人は複数個の餌木をその針部を布等で覆った状態にしてバッグ等に収納して携行している。
【０００３】
しかしながら、餌木を交換する度にバックに収納している餌木を取り出して該餌木の針部を覆っている布等を除去するとともに、現在使用している餌木の針部を布で覆ってバックに収納するといった煩雑な作業を行う必要があり、釣り人からは餌木を整理した状態に収納可能で且つ簡単に餌木を交換することができる餌木収納具が所望されていた。
【０００４】
【発明が解決しようとする課題】
本発明は、餌木を整理整頓した状態に収納することができるとともに、使用する餌木を円滑に且つ簡単に交換することができる餌木収納具を提供する。
【０００５】
【課題を解決するための手段】
請求項１に記載の餌木収納具は、開閉自在な餌木収納容器内に発泡体からなる餌木保持板が収納され、該餌木保持板の上部には、餌木の腹部上端に突出した重錘を収納する重錘収納部が複数個、一定間隔毎に形成されてなることを特徴とする。
【０００６】
請求項２に記載の餌木収納具は、請求項１に記載の餌木収納具において、重錘収納部の下側部の夫々には、餌木の尻端部に突設した針を収納する針収納凹部が形成されていることを特徴とする。
【０００７】
請求項３に記載の餌木収納具は、請求項１に記載の餌木収納具において、餌木の尻端部に突設した針を餌木保持板の下部に突き刺し可能に構成していることを特徴とする。
【０００８】
請求項４に記載の餌木収納具は、請求項１乃至請求項３の何れか１項に記載の餌木収納具において、餌木保持板の中央部には餌木の腹部を収納する腹部収納凹部が形成されていることを特徴とする。
【０００９】
請求項５に記載の餌木収納具は、請求項１に記載の餌木収納具において、重錘収納部はスリットから形成されており、該スリットの対向端面で餌木の腹部の重錘を弾性的に挟着するように構成していることを特徴とする。
【００１０】
請求項６に記載の餌木収納具は、請求項１に記載の餌木収納具において、餌木収納容器は、前面が全面的に開口した偏平な収納容体と該収納容体の前面開口部を開閉自在に閉止する蓋体とからなり、収納容体の内底面上に餌木保持板を敷設している一方、上記蓋体はその下端縁を上記収納容体の前端開口下端縁に連設させてこの連設部を支点として上下方向に起伏自在とされており、上記蓋体と上記収納容体との間における対向下端両側部間には、上記蓋体の傾倒状態を維持する傾倒維持部材が配設されていることを特徴とする。
【００１１】
【作用】
本発明の餌木収納具の使用要領について説明する。先ず、餌木収納容器の蓋体を開放させて、該餌木収納容器の収納容体内に敷設した餌木保持板を露出させる。
【００１２】
しかる後、餌木の尻端部の針を針収納凹部に収納、固定させるとともに、餌木の腹部を腹部収納凹部内に収納させ、更に、上記餌木保持板の重錘収納部に餌木の腹部上端に突出した重錘を前方から弾性的に押し込んで収納、固定させることによって、上記餌木を上記餌木保持板に安定的に固定、保持させる。
【００１３】
このように、上記餌木は、その重錘及び針を上記餌木収納具の餌木保持板の重錘収納部及び針収納凹部の夫々に収納、固定されていることから、餌木は餌木保持板に安定的に保持された状態を維持する。
【００１４】
しかる後、上記餌木収納容器を閉止し、餌木を保持している餌木保持板を餌木収納容器内に収納した状態にして釣り場へ携行し、そして、釣り場で上記餌木収納具内に収納している餌木を取り出す際には餌木収納容器を開放状態として餌木保持板を露出させて、該餌木保持板に保持させている餌木を円滑に且つ簡単に取り出して使用することができる。
【００１５】
【発明の実施の形態】
本発明の餌木収納具の一例を図面を参照しつつ説明する。餌木収納具１の餌木収納容器10の収納容体２は、図１及び図２に示したように、正面略正方形状の底面部21と該底面部21の四方外周縁から前方に向かって突設され且つ後述する餌木保持板３の厚みよりも僅かに高い高さを有する一定高さの低周壁部22とから偏平な状態に形成され、その前端部は全面的に開放された状態に構成されている。そして、上記底面部21の内面と上記低周壁部22の内周面とによって、後述する餌木保持板３を収納、敷設するための餌木保持板収納部23が形成されている。
【００１６】
更に、上記収納容体２には、該収納容体２の前端開口部を開閉自在に閉止する透明な蓋体４が一体的に設けられている。即ち、上記蓋体４は、上記収納容体２の前端開口部の正面形状に合致した正面略正方形状に形成されているとともに、その下端縁の中央部を上記収納容体２の前端開口下端縁中央部に連設させて、この連設部41を支点として上下方向に起伏自在とされている。そして、上記蓋体４の上記連設部41を除く四方外周縁とこの四方外周縁に対向する上記収納容体２の前端開口縁との間にはファスナ５が配設されており、該ファスナ５を開閉させることによって上記収納容体２の前端開口部を上記蓋体４によって開閉自在としている。
【００１７】
又、上記蓋体４と上記収納容体２との間における対向下端両側部間の夫々には上記蓋体４の傾倒状態を維持するための傾倒維持部材６、６が配設されている。即ち、上記傾倒維持部材６、６は一定長さを有する帯状体から形成されており、その後端縁の夫々を上記収納容体２の底面部21内面の下端両側端部に固着させているとともに、その前端縁を上記蓋体４の内面41の下端両側端部に固着させている。
【００１８】
更に、上記収納容体２の前端開口縁における上側両側縁間には餌木保持板固定用帯状体７が架設されており、該餌木保持板固定用帯状体７によって上記収納容体２の餌木保持板収納部23内に収納、敷設される餌木保持板３の上端部を押圧して上記餌木保持板３を上記収納容体２内に安定的に敷設させている。
【００１９】
なお、上記収納容体２の底面部21の外面中央部には、図３に示したように、正面横長長方形状の幅太の帯状体８がその上下端縁部を全長に亘って固着されて、該帯状体８の内面とこれに対向する上記収納容体２の底面部21の外面とによって横方向に貫通したベルト挿通孔81が形成されている。
【００２０】
上記収納容体２の餌木保持板収納部23内に収納される餌木保持板３は、図１乃至図４に示したように、上記餌木保持板収納部23の正面形状に略合致した正面略正方形状で且つ一定厚みを有する発泡体から形成されてなる。
【００２１】
そして、上記餌木保持板３の上下方向の中央部には、水平方向に一定間隔毎に複数個の正面略縦長楕円形状の腹部収納凹部31が該餌木保持板３の前後面間に貫通して貫設されており、この腹部収納凹部31内に餌木Ａの腹部A1を収納可能に構成している。
【００２２】
更に、上記各腹部収納凹部31の上側部の夫々には、上記餌木保持板３の前後面間に亘って貫通し且つ下端部が上記腹部収納凹部31に連通してなる一定長さのスリットが上下方向に指向して形成されており、このスリットを餌木Ａの腹部上端に突出した重錘A2を弾性的に挟着して固定させる重錘収納部32としている。
【００２３】
加えて、上記各腹部収納凹部31の下側部の夫々には、上記餌木保持板３の前後面間に亘って貫通した正面縦長長方形状の針収納凹部33が貫設されており、該針収納凹部33に餌木Ａの尻端部に突設した針A3を収納させるように構成しているとともに、該針収納凹部33の上側内周面に餌木Ａの針A3を突き刺すことによって餌木Ａの針A3を針収納凹部33内に安定した状態に収納、固定可能に構成している。
【００２４】
次に、上記餌木収納具１の使用要領について説明する。始めに、上記餌木収納具１の餌木保持板３に餌木Ａを保持させる要領について説明する。先ず、上記収納容体２の前端開口部が上記蓋体４によって閉止された状態とされている場合には、上記ファスナ５を開放状態とした上で上記蓋体４をその下端連設部41を支点として下方に傾倒させて上記収納容体２の前端開口部を開放して上記餌木保持板３を露出させる。
【００２５】
なお、上記蓋体４は上記傾倒維持部材６、６によって下方への一定以上の傾倒を規制されており、上記蓋体４は上記収納容体２の前端開口縁から所定角度だけ下方に向かって傾倒した状態と維持する。
【００２６】
しかる後、露出状態となった上記餌木保持板３の針収納凹部33内に餌木Ａの針A3を収納させるとともに、該餌木Ａの針A3を上方に向かって変位させることによって針A3を上記針収納凹部33の上側内周面に突き刺して、餌木Ａの針A3を上記針収納凹部33内に安定した状態に収納させる。
【００２７】
続いて、上記針収納凹部33内に収納、固定させた餌木Ａの針A3を支点として餌木Ａの頭部側を上記餌木保持板３側に近接する方向に変位させることによって、上記餌木Ａの腹部A1を上記餌木保持板３の腹部収納凹部31内に収納させるとともに、上記餌木Ａの重錘A2を上記餌木保持板３の重錘収納部（スリット）32内に押し込んで、該餌木Ａの重錘A2を上記餌木保持板３の重錘収納部32内に弾性的に挟着、即ち、餌木Ａの重錘A2を上記餌木保持板３の重錘収納部32の対向端面によって弾性的に挟着させて安定した状態に固定させる。
【００２８】
このようにして、上記餌木Ａを上記餌木保持板３に安定した状態に確実に保持させた上で上記収納容器２の前端開口部上に上記蓋体４を被せた上で上記ファスナ５を閉止状態として、上記収納容器２の前端開口部を上記蓋体４によって閉止する（図５参照）。
【００２９】
そして、この餌木Ａを収納した餌木保持具１の収納容体２のベルト挿通孔81内にズボンのベルトＢを挿通させることによって、上記餌木収納具１を釣り人の腰部に着脱自在に取り付けて携行する。このように、上記餌木収納具１は釣り人の腰部に取付けた状態にして携行することができるので、釣り人は釣り場の移動に際し手に持つ荷物を軽減させることができ、よって、釣り場の移動を軽快なものとすることができる。
【００３０】
しかして、釣りをしていくうちに釣り場の状況が変化して餌木Ａを交換する必要が生じる。このような時は、先ず、上記餌木収納具１のファスナ５を開放状態として、上記蓋体４をその下端連設部41を支点として下方に向かって傾倒させることによって、上記収納容体２の前端開口部を開放状態としてその内部に敷設している餌木保持板３を露出させる。
【００３１】
そして、上記餌木保持板３に保持させている餌木Ａの頭部を把持し、該餌木Ａをその針A3を支点として頭部側が餌木保持板３から離間する方向に変位させることによって重錘A2を重錘収納部32から引き抜くとともに、その腹部A1を腹部収納凹部31から離脱させる。
【００３２】
続いて、餌木Ａを下方に向かって押し進めることによって針A3を針収納凹部33の上側内周面から引き抜いて針A3を針収納凹部33から離脱させて、餌木Ａを餌木保持板３から取り外す。そして、この取り外された餌木Ａを収納していた針収納凹部33、腹部収納凹部31及び重錘収納部32の夫々に現在使用している餌木Ａの針A3、腹部A2及び重錘A2の夫々を上記と同様の要領で収納させて餌木Ａを上記餌木保持板３に安定した状態に保持させる。
【００３３】
しかる後、上記蓋体４を上記収納容体２の前端開口部に被せた上で上記ファスナ５を閉止状態とすることによって上記収納容体２の前端開口部を上記蓋体４によって閉止し、釣りを継続して楽しむことができる。
【００３４】
上記餌木Ａの交換作業において、上記蓋体４は、上述した如く、傾倒維持部材６、６によって上記収納容体２の前端開口縁から所定角度だけ下方に向かって傾倒した状態を維持していることから釣り人は蓋体４を手で持つ必要はなく両手を使って餌木Ａの交換作業を円滑に且つ確実に行うことができる（図６参照）。
【００３５】
【発明の効果】
本発明の餌木収納具は、上述の如き構成を有するので、餌木をその針を針収納凹部に、その腹部を腹部収納凹部に、その重錘を重錘収納部に収納させることによって安定した状態に収納させることができる。
【００３６】
しかも、上記餌木保持板は発泡体から形成されており、その針を餌木保持板の針収納凹部の上側内周面に突き刺しておくことによって、餌木を餌木保持板に安定した状態に確実に保持させておくことができる。
【００３７】
そして、上記餌木収納具において、上記重錘収納部をスリットから形成されており、該スリットの対向端面で餌木の腹部の重錘を弾性的に挟着させるように構成している場合には、餌木の重錘を重錘収納部に弾性的に強固に挟着させることができ、よって、餌木を餌木保持板により安定した状態に且つ確実に保持させておくことができる。
【００３８】
最後に、上記餌木収納具において、餌木収納容器は、前面が全面的に開口した偏平な収納容体と該収納容体の前面開口部を開閉自在に閉止する蓋体とからなり、収納容体の内底面上に餌木保持板を敷設している一方、上記蓋体はその下端縁を上記収納容体の前端開口下端縁に連設させてこの連設部を支点として上下方向に起伏自在とされており、上記蓋体と上記収納容体との間における対向下端両側部間には、上記蓋体の傾倒状態を維持する傾倒維持部材が配設されている場合には、上記蓋体を上記収納容体に対して所定角度だけ下方に向かって傾倒させた状態に維持させて、上記収納容体の前端開口部を開放状態に維持させておくことができ、よって、釣り人は餌木を交換する際に蓋体を手で持っておく必要はなく、両手を使用して餌木の交換作業を円滑に且つ確実に行うことができる。
【図面の簡単な説明】
【図１】
本発明の餌木収納具を示した斜視図である。
【図２】
本発明の餌木収納具を示した斜視図である。
【図３】
本発明の餌木収納具を示した背面図である。
【図４】
餌木保持板を示した斜視図である。
【図５】
本発明の餌木収納具内に餌木を収納した状態を示した縦断面図である。
【図６】
本発明の餌木収納具の使用要領を示した斜視図である。
【符号の説明】
１  餌木収納具
10  餌木収納容器
２  収納容体
３  餌木保持板
31  腹部収納凹部
32  重錘収納部
33  針収納凹部
４  蓋体
５  ファスナ
６  傾倒維持部材
Ａ  餌木
A1  腹部
A2  重錘
A3  針